(57)【要約】【課題】風雑音を抑制しつつ、音圧の低下を抑制することができる電子機器を提供する。【解決手段】本実施の形態にかかる電子機器１００は、マイクユニット７１と、スピーカ６１と、マイクユニット７１、及びスピーカ６１を保持する保持するシャーシ６０と、シャーシ６０の前側に取り付けられ、集音孔２２と、放音孔１２、１３と、を有する筐体と、筐体１０とシャーシ６０との間に配置されるクッションシート４０と、を備えている。クッションシート４０には、スピーカ６１の前側に配置される第１の開口部４１と、マイクユニット７１の前側に配置される第２の開口部４２と、第１の開口部４１と第２の開口部４２とを連結する連結開口部４３と、が形成されている。集音孔２２が連結開口部４３に貫通するように配置されている。【選択図】図２
2018160816.tif 000002
【特許請求の範囲】
【請求項１】
マイクユニットと、
スピーカと、
前記マイクユニット、及び前記スピーカを保持するシャーシと、
前記シャーシの前側に取り付けられ、集音孔と、放音孔と、を有する筐体と、
前記筐体と前記シャーシとの間に配置されるクッションシートと、を備え、
前記クッションシートには、前記スピーカの前側に配置される第１の開口部と、前記マイクユニットの前側に配置される第２の開口部と、前記第１の開口部と前記第２の開口部とを連結する連結開口部と、が形成されており、
前記集音孔が、前記連結開口部に対して貫通するように配置されている電子機器。
【請求項２】
前記筐体の前面には、
周辺よりも前側に突出した凸部が設けられており、
前記集音孔が、前記凸部の側面に露出するように形成されている請求項１に記載の電子機器。
【請求項３】
前記集音孔が、前記凸部を貫通するように形成され、
前記凸部の前面に貼り付けられるバッチをさらに備えた請求項２に記載の電子機器。
【請求項４】
マイクユニットと、
スピーカと、
前記マイクユニット、及び前記スピーカを保持する保持するシャーシと、
前記シャーシの前側に取り付けられ、集音孔と、放音孔と、を有する筐体と、
前記筐体と前記シャーシとの間に配置されるクッションシートと、を備え、
前記クッションシートには、前記スピーカの前側に配置される第１の開口部と、前記マイクユニットの前側に配置される第２の開口部と、前記第１の開口部と前記第２の開口部とを連結する連結開口部と、が形成されており、
前記集音孔の筐体内側の一端が、前記連結開口部に開口するように配置されている電子機器。
【請求項５】
前記筐体の前面には、
周辺よりも前側に突出した凸部が設けられており、
前記集音孔の筐体外側の一端が、前記凸部の側面に開口するように形成されている請求項４に記載の電子機器。
【発明の詳細な説明】
【技術分野】
【０００１】
本発明は、電子機器に関する。
【背景技術】
【０００２】
特許文献１には、防水型マイクロホンの構造が開示されている。特許文献１では、フロントケースとリアケースとの間に、スピーカ及びマイクロホン（以下、マイクとする）が設けられている。さらに、フロントケースには、音道孔が設けられている。音道孔は、スピーカの前側に配置されている。
【０００３】
フロントケースの裏側には、円筒状の突出部と、小突出部が設けられている。突出部内には、スピーカが配置され、小突出部には、マイクが収納されている。
【先行技術文献】
【特許文献】
【０００４】
【特許文献１】実用新案登録第２５３７３８６号公報
【発明の概要】
【発明が解決しようとする課題】
【０００５】
マイク正面の筐体の開口部に向かって発声したときの息、もしくは屋外等での風が音孔に接触したとき、空気と筐体との摩擦によるノイズが発生してしまう。このようなノイズが風雑音として、直接マイクに入力されてしまう。引用文献１では、風雑音に関して抑制効果が得られるものの、マイクまでの音道が長くなるため、マイクへの音圧が低下してしまうという問題点がある。
【０００６】
本発明は上記の点に鑑みなされたもので、風雑音の抑制を図りつつ、マイクへの音圧低下も抑制することができる電子機器を提供することを目的とする。
【課題を解決するための手段】
【０００７】
本実施形態にかかる電子機器は、マイクユニットと、スピーカと、前記マイクユニット、及び前記スピーカを保持する保持するシャーシと、前記シャーシの前側に取り付けられ、集音孔と、放音孔と、を有する筐体と、前記筐体と前記シャーシとの間に配置されるクッションシートと、を備え、前記クッションシートには、前記スピーカの前側に配置される第１の開口部と、前記マイクユニットの前側に配置される第２の開口部と、前記第１の開口部と前記第２の開口部とを連結する連結開口部と、が形成されており、前記集音孔が前記連結開口部に貫通するように配置されているものである。
【０００８】
本実施形態にかかる電子機器は、マイクユニットと、スピーカと、前記マイクユニット、及び前記スピーカを保持する保持するシャーシと、前記シャーシの前側に取り付けられ、集音孔と、放音孔と、を有する筐体と、前記筐体と前記シャーシとの間に配置されるクッションシートと、を備え、前記クッションシートには、前記スピーカの前側に配置される第１の開口部と、前記マイクユニットの前側に配置される第２の開口部と、前記第１の開口部と前記第２の開口部とを連結する連結開口部と、が形成されており、前記集音孔の筐体内側の一端が、前記連結開口部に開口するように配置されているものである。
【発明の効果】
【０００９】
本発明によれば、風雑音の抑制を図りつつ、マイクへの音圧低下および周波数特性及び音質に対する音道の長さによる悪影響も抑制することができる電子機器を提供することができる。
【図面の簡単な説明】
【００１０】
【図１】電子機器の構成を示す正面図である。
【図２】電子機器の構成を説明するための分解斜視図である。
【図３】クッションシートの構成を示す正面図である。
【図４】電子機器の内部構成を説明するための正面図である。
【図５】防塵シートの構成を示す正面図である。
【図６】スピーカの中心位置における電子機器のＹＺ断面図である。
【図７】集音孔の位置における電子機器のＹＺ断面図である。
【図８】マイクユニットの中心位置における電子機器のＹＺ断面図である。
【図９】電子機器の集音孔の周辺部分を拡大して示す斜視図である。
【発明を実施するための形態】
【００１１】
本実施の形態にかかる電子機器について、図１、及び図２を用いて説明する。図１は、電子機器１００の構成を示す正面図である。図２は、電子機器１００の主要部の構成を説明するための分解斜視図である。
【００１２】
本実施の形態では、電子機器１００が音声通話可能な携帯型無線機となっている。電子機器１００は、マイクで集音した音声信号を変調して、他の無線機に無線送信する。また、他の無線機から受信した無線信号を復調して、スピーカから音声信号として出力する。もちろん、電子機器１００は、音声信号を無線送信する無線機に限られるものではない。すなわち、電子機器１００は、マイクとスピーカを有する装置であれば、特に限定されるものではない。例えば、電子機器１００は、スマートホン、携帯電話、又はボイスレコーダ等の録音機器などであってもよい。
【００１３】
なお、本実施の形態にかかる電子機器１００において、マイクユニット７１（図２を参照）で音を集音する構成、及びスピーカ６１（図２を参照）からの音を放音する構成が特徴的であるため、その他の構成については適宜説明を省略する。
【００１４】
電子機器１００は、筐体１０を有している。筐体１０は電子機器１００の前面に露出する前面カバーである。なお、以下の図面には、説明の明確化のため、ＸＹＺ３次元直交座標系が示されている。＋Ｚ方向が電子機器１００の前面側となり、−Ｚ方向が電子機器１００の背面側となる。また、正面視での方向を基準とすると、＋Ｙ方向が上側、−Ｙ方向が下側、＋Ｘ方向が右側、−Ｘ方向を左側となる。なお、上記の上下方向、前後方向、左右方向は相対的なものであり、電子機器１００の方向に応じて変化する。
【００１５】
図１に示すように、電子機器１００は、筐体１０には、第１の放音孔１２、第２の放音孔１３が形成されている。第１の放音孔１２、及び第２の放音孔１３は、スピーカ６１（図２を参照）で発生した音を外部に放出するための開口である。すなわち、筐体１０前面に所定の形状の貫通穴を設けることで、第１の放音孔１２、及び第２の放音孔１３が形成される。
【００１６】
具体的には、筐体１０の前面の上部には、複数の第１の放音孔１２が形成されている。それぞれの第１の放音孔１２は、Ｘ方向を長手方向、Ｙ方向を短手方向とするスリット状になっている。３つの第１の放音孔１２は間隔を隔てて、上下方向（Ｙ方向）に並んで配置されている。
【００１７】
第２の放音孔１３は、第１の放音孔１２の下側に配置されている。第２の放音孔１３は、第１の放音孔１２よりも小さい開口となっている。具体的には、左右方向（ＸＹ方向）において、第２の放音孔１３は、第１の放音孔１２よりも小さくなっている。筐体１０には合計で４つの放音孔１２、１３が形成されている。
【００１８】
さらに、筐体１０の左側面、及び上側面には、操作部１５が設けられている。操作部１５は、ユーザ入力を受け付けるための、操作ボタン、スイッチ、レバーなどを有している。例えば、ユーザが操作部１５を操作することで、周波数の切り替え、音量の変更等を入力することができる。操作部１５について、公知の構成を用いることができるため、説明を省略する。なお、筐体１０にＬＣＤ（Liquid Crystal Display）モニタなどの表示部や文字入力用の操作ボタンを設けられてもよい。
【００１９】
筐体１０の前面にはバッジ１１が設けられている。バッジ１１は、両面テープや接着剤などにより、筐体１０の前面に貼り付けられている。ＸＹ平面において、バッジ１１は、Ｙ方向を長手方向、Ｘ方向を短手方向とする略矩形状のシートとなっている。図２に示すように、バッジ１１は集音孔２２（図１では不図示）を覆うように配置されている。なお、バッジ１１にブランドロゴなどを形成してもよい。バッジ１１の背面側には、集音孔２２が形成されている。すなわち、集音孔２２は、バッジ１１で覆われており、前側からは視認されないようになっている。筐体１０に貫通孔を設けることで、集音孔２２が形成される。
【００２０】
図２に示すように、電子機器１００は、筐体１０、防塵ネット３０、クッションシート４０、防水シート５０、シャーシ６０、スピーカ６１、防水シート６２、マイク基板７０、及びマイクユニット７１を備えている。
【００２１】
マイク基板７０には、マイクユニット７１が搭載されている。具体的には、マイク基板７０の前面側にマイクユニット７１が実装されている。マイク基板７０の−Ｘ側、かつ＋Ｙ側の角部近傍にマイクユニット７１が配置されている。マイク基板７０は、実質的にＸＹ平面に延びる基板である。マイク基板７０は、例えば、マイクユニット７１への電源線や信号線を備えたＰＣＢ（Printed Circuit  Board）基板である。マイクユニット７１は、Ｚ方向を軸方向とする円柱形状を有している。よって、マイクユニット７１は、ＸＹ平面において円形になっている。
【００２２】
マイク基板７０の前面側には、シャーシ６０が配置されている。シャーシ６０は、金属又は樹脂などにより形成されている。シャーシ６０の前面にスピーカ６１が取り付けられ、背面にマイク基板７０が取り付けられている。スピーカ６１は、シャーシ６０に固定されている。また、マイクユニット７１は、マイク基板７０を介して、シャーシ６０に固定されている。このように、スピーカ６１、及びマイクユニット７１は、シャーシ６０に保持されている。マイクユニット７１は、マイク基板７０とシャーシ６０との間に配置される。スピーカ６１はＸＹ平面において円形となっている。
【００２３】
シャーシ６０には、スピーカ搭載部６３、マイク孔６４、及び貼り付け部６５が設けられている。シャーシ６０には、スピーカ６１を搭載するための円形のスピーカ搭載部６３が形成されている。スピーカ搭載部６３では、シャーシ６０が−Ｚ側に窪んでいる。すなわち、シャーシ６０に、スピーカ６１とほぼ同じ大きさの凹部を設けることでスピーカ搭載部６３が形成される。スピーカ６１はスピーカ搭載部６３に配置されて、シャーシ６０に固定される。なお、スピーカ６１は、防水機能を有する振動板が前面側に露出している。
【００２４】
また、シャーシ６０には、防水シート６２を貼り付けるための貼り付け部６５が形成されている。貼り付け部６５は、ＸＹ平面においてマイクユニット７１に重複する位置に配置される。貼り付け部６５は、防水シート６２とほぼ同じ大きさの円形となっている。防水シート６２は、防水性を有する円形のシールテープとなっている。防水シート６２は、マイクユニット７１の前側に配置されている。なお、貼り付け部６５には、防水シート６２の貼り付け位置を決めるための凹部又は凸部を設けてもよい。
【００２５】
貼り付け部６５の中央部には、マイク孔６４が設けられている。マイク孔６４はシャーシ６０を貫通する貫通穴である。マイク孔６４は、防水シート６２よりも小さい円形となっている。貼り付け部６５に防水シート６２が貼り付けられることで、防水シート６２がマイク孔６４を覆う。マイクユニット７１の前面側の空間を防水シート６２によって塞ぐことができ、防水性を高くすることができる。防水シート６２は、音質、音圧を劣化させない材料により形成されている。例えば、防水シート６２には、ＰＴＦＥ（ポリテトラフルオロエチレン:polytetrafluoroethylene）を用いることができる。したがって、防水シート６２は、防水シート６２よりも内殻の防水を保ちながら、音を通すことができる。
【００２６】
さらに、シャーシ６０の前面には、防水シート５０が配置されている。防水シート５０には、第１の貫通孔５１、及び第２の貫通孔５２が形成されている。すなわち、第１の貫通孔５１と第２の貫通孔５２とは防水シート５０を貫通している。第１の貫通孔５１、及び第２の貫通孔５２は互いに分離して形成されている。したがって、防水シート５０には２つの貫通孔が形成されている。
【００２７】
第１の貫通孔５１は、スピーカ６１とほぼ同じ大きさの円形に形成されている。ＸＹ平面において、第１の貫通孔５１は、スピーカ６１と重複する位置に配置されている。すなわち、第１の貫通孔５１はスピーカ６１の前側に配置される。したがって、スピーカ６１の前側に空間が形成される。
【００２８】
第２の貫通孔５２は、マイクユニット７１とほぼ同じ大きさの円形に形成されている。ＸＹ平面において、第２の貫通孔５２は、マイクユニット７１と重複する位置に配置されている。すなわち、第２の貫通孔５２は、防水シート６２の前側に配置される。したがって、防水シート６２の前側に空間が形成される。
【００２９】
防水シート５０の前面側には、クッションシート４０が配置されている。クッションシート４０は、弾性シートにより形成されている。クッションシート４０は筐体１０とシャーシ６０との間で押圧されると、厚さ方向に弾性変形する。クッションシート４０は、シール材（パッキン）であり、外部からの水の浸入を防ぐために防水性を有していてもよい。また、クッションシート４０は、音が音道以外の筐体内部に漏れないようにする機能を有している。
【００３０】
図３に、クッションシート４０のＸＹ平面図を示す。また、図４は、シャーシ６０にクッションシート４０及び防水シート５０が貼り付けられた構成を示すＸＹ平面図である。なお、図３、４では説明のため、集音孔２２の位置が示されている。
【００３１】
図３に示すように、クッションシート４０は、第１の開口部４１と、第２の開口部４２と、連結開口部４３と、スリット開口部４４と、を備えている。ＸＹ平面において、第１の開口部４１は、スピーカ６１と重複する位置に配置される。ＸＹ平面において、第１の貫通孔５１と第１の開口部４１とは重複する。よって、スピーカ６１の前側に、第１の開口部４１、及び第１の貫通孔５１が配置されている。第１の開口部４１は、スピーカ６１と同じ程度の大きさの略円形となっている。
【００３２】
ＸＹ平面において、第２の開口部４２は、防水シート６２と重複する位置に配置される。よって、防水シート６２とマイクユニット７１との前側に、第２の開口部４２と第２の貫通孔５２とが配置されている。ＸＹ平面において、第２の貫通孔５２と第２の開口部４２とは重複する。
【００３３】
連結開口部４３は、第１の開口部４１と第２の開口部４２とを連結する開口部である。第２の開口部４２は、第１の開口部４１の−Ｘ側であって、＋Ｙ側に配置されている。よって、連結開口部４３はＸ方向とＹ方向との間の方向である斜め方向に延びるスリット形状を有している。ＸＹ平面において、斜め方向は、Ｘ方向から傾いており、かつＹ方向から傾いた方向である。連結開口部４３は、防水シート５０の前側に配置される。ＸＹ平面において、連結開口部４３は防水シート５０と重複する。
【００３４】
そして、連結開口部４３に対して貫通する位置に、集音孔２２が設けられている。すなわち、ＸＹ平面において、集音孔２２は、第１の開口部と第２の開口部４２の間の位置に形成されている。したがって、集音孔２２の筐体内の一端は、連結開口部４３の前側に開口する。ＸＹ平面において、集音孔２２は、スピーカ６１、マイクユニット７１、第２の貫通孔５２、及び第１の貫通孔５１と重複していない。つまり、それぞれの音道軸の方向であるＺ軸の位置は一致しない。すなわち、ＸＹ平面において、集音孔２２は、スピーカ６１、マイクユニット７１からずれて配置されているため、集音孔２２の音道軸は、マイクユニット７１の音道軸と一致しない。
【００３５】
スリット開口部４４は、第１の開口部４１の下側（−Ｙ側）で、第１の開口部４１と連結されている。スリット開口部４４は、Ｘ方向を長手方向、Ｙ方向を短手方向とする略矩形状（スリット状）に形成されている。後述するように、スリット開口部４４は、第１の放音孔１２から筐体１０の内部に侵入した水を第２の放音孔１３を通して外部に排出するために設けられている。スリット開口部４４は、防水シート５０又はスピーカ６１の前側に配置される。
【００３６】
このように、クッションシート４０には、第１の開口部４１、第２の開口部４２、連結開口部４３、及びスリット開口部４４が設けられている。第１の開口部４１、第２の開口部４２、連結開口部４３、及びスリット開口部４４は、一体的に形成されている。すなわち、第１の開口部４１、第２の開口部４２、連結開口部４３、及びスリット開口部４４は、連続するように形成されている。第１の開口部４１、第２の開口部４２、連結開口部４３、及びスリット開口部４４を合成した形状の１つの貫通穴を形成することで、第１の開口部４１、第２の開口部４２、連結開口部４３、及びスリット開口部４４が形成されている。第１の開口部４１と第２の開口部４２と連結開口部４３とスリット開口部４４との間を、音が伝達することができる。
【００３７】
このように、筐体１０の集音孔２２は、連結開口部４３に貫通する位置に配置されている。そして、集音孔２２は、ＸＹ平面において、連結開口部４３がマイクユニット７１と重複しないように配置される。換言すると、集音孔２２の音道軸は、マイクユニット７１の音道軸との位置をずらすことができる。
【００３８】
この構成によれば、特許文献１に比べて、集音孔２２とマイクユニット７１との距離を近づけることができる。すなわち、スピーカ６１の前側に音道孔を配置した特許文献１の構成と比べて、マイクユニット７１と集音孔２２との距離を近くすることができるため音声の音圧低下は抑制することができる。よって、マイクユニット７１に入力する信号の周波数特性及び音質に対する音道の長さが長くなることによる悪影響を防ぐことができる。
【００３９】
さらに、ＸＹ平面において、集音孔２２の音道軸とマイクユニット７１の音道軸とが重複されない構成とすることができる。すなわち、マイクユニット７１の正面前側に集音孔２２が設置されない本実施の形態の構成は、空気と筐体との摩擦により発生するノイズが風雑音としてマイクユニット７１に入力される音量を、抑制することができる。さらに本実施形態の構成は、風雑音の抑制を図りつつ、マイクユニット７１への音圧低下も抑制することができる。よって、空気と筐体１０との摩擦によるノイズ（風雑音）のマイクユニット７１へ入力が少なく、音声の音圧低下の少ない、明瞭な音声通話が可能になる。
【００４０】
図２に示すように、クッションシート４０の前側には、防塵ネット３０が設けられている。防塵ネット３０は音が通過するように、メッシュ状になっている。したがって、防塵ネット３０を通過した時の音圧低下を抑制することができる。防塵ネット３０は、外部空間からの塵の侵入を防ぐよう、第１の放音孔１２、第２の放音孔１３、集音孔２２と重複するように設けられている。防塵ネット３０は、例えば、両面テープによって、筐体１０の背面に貼り付けられている。すなわち、防塵ネット３０と筐体１０とは、両面テープを介して貼り合わされている。
【００４１】
図５に防塵ネット３０の正面図を示す。図５では、防塵ネット３０において、両面テープが設けられていない箇所を非接着部３１、３２としている。具体的には、第１の放音孔１２、第２の放音孔１３、及び集音孔２２と重なる部分には、両面テープが設けられていない。すなわち、防塵ネット３０を接着する両面テープは、第１の放音孔１２、第２の放音孔１３、集音孔２２を塞がないように、防塵ネット３０と筐体１０とを接着している。
【００４２】
防塵ネット３０の第１の放音孔１２と第２の放音孔１３と重なる部分が非接着部３１となっている。非接着部３１は、第１の放音孔１２と、第２の放音孔１３と重なる部分だけでなく、第１の放音孔１２と、第２の放音孔１３とを接続するように上下方向（Ｙ方向）に延在している。ここで、非接着部３１において、第１の放音孔１２と重複する箇所を非接着部３１ａとし、第２の放音孔１３と重複する部分を非接着部３１ｂとして、非接着部３１ａと非接着部３１ｂとを連結する部分を非接着部３１ｃとする。
【００４３】
非接着部３１ａと非接着部３１ｂと非接着部３１ｃとは一体的に設けられている。非接着部３１ａは、第１の放音孔１２の背面側に配置される。非接着部３１ｂは第２の放音孔１３の背面側に配置される。非接着部３１ｃは、非接着部３１ａと非接着部３１ｂとをつなぐように、Ｙ方向を長手方向とするスリット状に形成されている。このように、一体的に設けられた非接着部３１が第１の放音孔１２、及び第２の放音孔１３と重なっている。
【００４４】
防塵ネット３０の集音孔２２と重なる部分が非接着部３２となっている。非接着部３２は、集音孔２２の背面側に配置される。非接着部３２は円形状になっている。そして、非接着部３１と非接着部３２とを除いた部分に両面テープを配置することで、筐体１０に防塵ネット３０が貼り付けられる。このように、第１の放音孔１２、第２の放音孔１３、集音孔２２と重複する位置を非接着部３１、３２とすることで、音が通過した時の
音圧低下を抑制することができる。
【００４５】
次に、防塵ネット３０を用いた防水構造について、図６〜図８を用いて説明する。図６〜図８は、電子機器の防水構造の主要部分を示す断面図である。図６〜図８は、電子機器１００のＹＺ断面図である。図６は、スピーカ６１の中心位置を横切るＹＺ断面図である。図７は、マイクユニット７１の中心位置を横切るＹＺ断面図である。図８は、集音孔２２の中心位置を横切るＹＺ断面図である。また、図６〜図８では、説明の簡略化のため、一部の構成が適宜省略されており、主要部分のみの構成が示されている。
【００４６】
図６〜図８に示すように、筐体１０の内部に、スピーカ６１とマイクユニット７１とを保持するシャーシ６０が配置されている。マイクユニット７１は、マイク基板７０に取り付けられている。マイクユニット７１は、マイク素子７１ａとマイクホルダ７１ｂとを備えている。マイク素子７１ａは、音圧を電気信号に変換する圧電素子や振動板などを有している。マイク素子７１ａは、マイクホルダ７１ｂによってマイク基板７０に取り付けられている。Ｚ方向において、マイクユニット７１はシャーシ６０とマイク基板７０との間に配置される。
【００４７】
さらに、マイク基板７０の背面側（−Ｚ側）には、回路基板８０が配置されている。回路基板８０は、例えば、通信回路や制御回路などの回路（不図示）が搭載された基板である。回路基板８０は、マイク基板７０と対向するように配置されている。さらに、回路基板８０の背面側には、背面シャーシ８１が設けられている。回路基板８０は、例えば、背面シャーシ８１に固定されて、保持される。そして、背面シャーシ８１とシャーシ６０とが固定される。したがって、シャーシ６０と回路基板８０との間に、マイク基板７０と回路基板８０とが配置されている。すなわち、シャーシ６０と回路基板８０とで形成される内部空間に、各種の電子回路等が配置される。背面シャーシ８１の背面側には、背面筐体８６が配置されている。背面筐体８６に、背面シャーシ８１が固定される。背面筐体８６は、例えば、背面シャーシ８１を覆う背面カバーである。
【００４８】
また、シャーシ６０と回路基板８０との間の内部空間を封止するための防水パッキン８４、及び防水パッキン８５が設けられている。防水パッキン８４、及び防水パッキン８５は防水性を有する弾性材料によって形成されている。防水パッキン８４、及び防水パッキン８５は電子回路などが配置された内部空間を封止するシール材となる。防水パッキン８４は、筐体１０と背面シャーシ８１との間に配置されている。筐体１０と背面シャーシ８１とが防水パッキン８４を挟むことで、防水パッキン８４が固定される。防水パッキン８５は、シャーシ６０と筐体１０との間、並びに、シャーシ６０と背面シャーシ８１との間に配置されている。すなわち、筐体１０と背面シャーシ８１とシャーシ６０とが防水パッキン８５を挟むことで、防水パッキン８５が固定される。
【００４９】
図６に示すように、スピーカ６１は振動板６１ａを備えている。振動板６１ａが振動することで、音が発生する。振動板６１ａは、防塵ネット３０の背面側に配置されている。そして、第１の開口部４１、及び第１の貫通孔５１によって、防塵ネット３０と振動板６１ａとの間に内部空間Ｓ１が形成される。
【００５０】
さらに、筐体１０には、第１の放音孔１２、第２の放音孔１３が設けられている。第１の放音孔１２、第２の放音孔１３は防塵ネット３０の前側に配置されている。防塵ネット３０はメッシュ状であるため、内部空間Ｓ１と、外部空間Ｓ２とが、第１の放音孔１２、又は第２の放音孔１３を介して連通する。なお、外部空間Ｓ２は、筐体１０の前側の空間である。
【００５１】
防塵ネット３０は。筐体１０の背面に両面テープで貼り付けられている。図５で示した通り、防塵ネット３０の第１の放音孔１２、及び第２の放音孔１３と重複する部分は両面テープが設けられていない非接着部３１となっている。
【００５２】
スピーカ６１で発生した音は、第１の貫通孔５１、第１の開口部４１、防塵ネット３０の非接着部３１、第１の放音孔１２（又は第２の放音孔１３）を通過して、外部空間Ｓ２に放音される。
【００５３】
図７に示すように、マイクユニット７１の前側（＋Ｚ側）には、シャーシ６０のマイク孔６４が配置されている。さらに、マイク孔６４の前側には、防水シート６２が配置されている。したがって、マイクユニット７１の前側には、内部空間Ｓ３が形成される。内部空間Ｓ３は、マイクユニット７１と、シャーシ６０と防水シート６２とで囲まれた空間である。
【００５４】
また、防水シート６２の前側には、第２の貫通孔５２、及び第２の開口部４２が設けられている。第２の貫通孔５２と第２の開口部４２とによって、内部空間Ｓ４が形成される。内部空間Ｓ４は、クッションシート４０と防水シート５０と筐体１０と防水シート６２とで囲まれた空間である。
【００５５】
内部空間Ｓ３と内部空間Ｓ４は防水シート６２によって隔てられている。換言すると、マイク孔６４と第２の貫通孔５２とは、防水シート６２によって隔てられている。上記の通り、防水シート６２は、音を通すことができるため、スピーカ６１が外部からの音声を集音することができる。
【００５６】
内部空間Ｓ４は、図８等に示す連結開口部４３に接続されている。内部空間Ｓ４は、連結開口部４３、及び防塵ネット３０を介して、集音孔２２と連通している。図８に示すＹＺ断面では、集音孔２２とマイクユニット７１との間は、シャーシ６０が配置されるものの、連結開口部４３が第１の開口部４１と第２の開口部４２とを連結している。したがって、集音孔２２からの音が、メッシュ状の防塵ネット３０、連結開口部４３、第２の開口部４２の順で伝達して、防水シート６２まで到達する。防水シート６２は音質、音圧を劣化させない材料により形成されているため、マイクの集音特性の劣化を防ぐことができる。
【００５７】
このように、マイクユニット７１の正面前側に集音孔２２が設置されない構成とすることができ、風雑音の音量を抑制することができる。上記の構成によれば、風雑音の抑制を図りつつ、マイクへの音圧低下も抑制することができる。よって、風雑音が少ない、明瞭な音声通話が可能になる。
【００５８】
マイクユニット７１は集音孔２２、防塵ネット３０の非接着部３２、連結開口部４３、第２の開口部４２、第２の貫通孔５２、防水シート６２、マイク孔６４を通過した音を集音する。また、集音孔２２に水が滞留しても、第１の放音孔１２から、第１の開口部４１、第２の開口部４２、連結開口部４３を通って、マイクユニット７１に音が到達する。よって、音声通話が困難になることはない。
【００５９】
次に、図６〜図８に加えて、図９を参照して、集音孔２２の構成について、説明する。図９は、集音孔２２の周辺部分を拡大して示す斜視図である。また、図９では、第１の放音孔１２、第２の放音孔１３についても、図示されている。
【００６０】
筐体１０の前面側には、凸部２１、集音孔２２、及び溝２３が形成されている。溝２３は、凸部２１を囲むように形成されている。例えば、ＸＹ平面において溝２３は矩形枠状に形成されており、矩形枠状の溝２３の内側に凸部２１が配置されている。溝２３は、後ろ側（−Ｚ側）に窪んでいるため、凸部２１は、溝２３よりも前側（＋Ｚ側）に突出している。すなわち、凸部２１は、周囲よりも前側に突出している。
【００６１】
集音孔２２は、凸部２１を貫通するように形成されている。すなわち、凸部２１を貫通する貫通穴によって、集音孔２２が形成されている。図９に示すように、凸部２１の側面２１ａに露出するように、集音孔２２が形成されている。集音孔２２は、凸部２１の側面２１ａ、及び頂面（前面）２１ｂに面している。ここでは、集音孔２２は、凸部２１の−Ｙ側の端に配置されている。
【００６２】
そして、凸部２１の頂面２１ｂにバッジ１１が貼り付けられる。したがって、集音孔２２の前面側にバッジ１１が配置される。バッジ１１は、筐体１０を貫通する集音孔２２の頂面２１ｂに開口する個所をカバーしている。バッジ１１は、ユーザの息が集音孔２２に直接かかることを防ぐ機能を有している。よって、風雑音を抑制することができる。また、凸部２１の側面２１ａに集音孔２２が設けられているため、集音孔２２の前面にバッジ１１が配置されていたとしても、音圧の低下を防ぐことができる。
【００６３】
実施例では、集音孔２２の筐体前面側の一端は、バッジ１１により凸部２１の頂面２１ｂに開口する個所をカバーすることで凸部側面２１aに貫通孔が露出した部分のみとしているが、筐体の成型により凸部側面２１aに開口してもよい。このように、筐体１０の前面には、周辺よりも前側に突出した凸部２１が設けられている。集音孔２２が、凸部２１の側面２１ａに露出するように形成されている。
【００６４】
以上、本発明者によってなされた発明を実施の形態に基づき具体的に説明したが、本発明は上記実施の形態に限られたものではなく、その要旨を逸脱しない範囲で種々変更可能であることは言うまでもない。
【符号の説明】
【００６５】
１０  筐体
１１  バッジ
１２  第１の放音孔
１３  第２の放音孔
１５  操作部
２１  凸部
２２  集音孔
２３  溝
３０  防塵ネット
３１  非接着部
３２  非接着部
４０  クッションシート
４１  第１の開口部
４２  第２の開口部
４３  連結開口部
４４  スリット開口部
５０  防水シート
５１  第１の貫通孔
５２  第２の貫通孔
６０  シャーシ
６１  スピーカ
６１ａ  振動板
６２  防水シート
６３  スピーカ搭載部
６４  マイク孔
６５  貼り付け部
７０  マイク基板
７１  マイクユニット
７１ａ  マイク素子
７１ｂ  マイクホルダ
【図１】
2018160816.tif 000003
【図２】
2018160816.tif 000004
【図３】
2018160816.tif 000005
【図４】
2018160816.tif 000006
【図５】
2018160816.tif 000007
【図６】
2018160816.tif 000008
【図７】
2018160816.tif 000009
【図８】
2018160816.tif 000010
【図９】
2018160816.tif 000011